(57)【要約】【課題】  メンバーにとって予約しやすく管理者にとって管理しやすいゴルフコースの予約システムを提供する。【解決手段】  管理者がクライアント端末から前記予約サーバにアクセスした場合には、クライアント端末の表示画面にはデータベースに蓄積された予約状況が表示され、前記クライアント端末の表示手段には予約メンバーの名前または会員番号で表示され、またメンバーが自己のクライアント端末から前記予約サーバにアクセスした場合には、同伴メンバーの人数と特定マークの本人が表示される。【選択図】  図４
2010003208.tif 000002
【特許請求の範囲】
【請求項１】
メンバー及び管理者がネットワークを介して接続可能な入出力機能及び双方向通信機能を持つ携帯電話又はパソコン等のクライアント端末と、前記クライアント端末との双方向通信によりスタート時間の予約情報が格納される予約サーバとで構成されるゴルフコース予約システムにおいて、
前記管理者がクライアント端末から予約サーバにアクセスした場合には、クライアント端末の表示画面にはデータベースに蓄積された予約状況がメンバーの名前または会員番号で表示されるとともに入出力機能によりデータの変更が可能とされ、また前記メンバーが自己のクライアント端末から予約サーバにアクセスした場合には、スタート時間の予約と画面確認が可能であり、当該メンバー用の表示画面にはスタート予約の空き情報と本人が予約した組みの同伴プレイヤーの人数のみが表示されることを特徴とするゴルフコース予約システム。
【請求項２】
請求項１に記載のゴルフコースの予約システムにおいて、前記メンバーのクライアント端末からの予約が可能な組数は１日の全組数のうちの一部とされ、また前記クライアント端末からの予約状況はキャディマスターなどのコース責任者の通信端末に通信可能とされ、この予約状況に基づいてクライアント端末からの予約が可能な組数を増やすことを特徴とするゴルフコース予約システム。
【発明の詳細な説明】
【技術分野】
【０００１】
本発明は、インターネット接続可能な通信機器のブラウザ表示ＧＵＩ機能を使って予約するゴルフコースの予約システムに関する。
【背景技術】
【０００２】
ゴルフコースの予約は電話やファックスによって申し込み、話によって、日時やスタート条件などを決定しているのが通例である。また最近ではインターネットを介しての予約方法も可能となっている。
【０００３】
特許文献１には、通信ネットワークに接続された入出力可能な双方向通信式の携帯移動端末に設けられる表示装置上に、個別のゴルフクラブに関する情報を複数含んだゴルフクラブ情報を表示し、予約を希望する者からの予約希望情報が前記携帯移動端末において入力されたことに基づき、予約希望されたゴルフクラブに予約確認処理を行い、その予約確認処理に基づいた予約結果に関する予約結果情報を所定の携帯移動端末に送信するゴルフコース予約システムが開示されている。
【０００４】
特許文献２には、登録した者がネットワーク上のホームページ画面上で複数のゴルフコースの該当する月の予約状況を示す予約表を閲覧し、その該当するゴルフコースの予約表に表示されている午前のスタート時間及び午後のスタート時間の予約有無表示からプレイする年月日、ゴルフコース、プレイ人数、スタート時間の指定、希望ラウンド、その他の事項を予約希望情報としてサーバに送信し、サーバは予約希望者に対し該当するゴルフコースの予約画面を表示してプレイ日、スタート時間等の予約内容を表示するとともに予約希望者の氏名、メンバーＩＤの入力を求め、かつ同伴者のいる場合の同伴者の氏名を入力し、予約確認、実行入力を行なって予約を行うシステムが開示されている。
【０００５】
【特許文献１】特開２００１−３５７１６５
【特許文献２】特開２００３−２４８７７１
【発明の開示】
【発明が解決しようとする課題】
【０００６】
特許文献１および特許文献２のいずれも、メンバーが一人で気楽に申し込めるシステムにはなっていない。即ち、ゴルフクラブにはメンバー主体のゴルフクラブとビジター主体のゴルフクラブがあり、上述した先行技術はビジター主体のゴルフクラブには有効ではあるが、メンバー主体のゴルフクラブにとっては必ずしも適したシステムとは言えない。
【０００７】
またゴルフクラブの運営にとっては、週末および祭日には予約が集中し、混雑するが、平日には予約組数が少なくなってしまう。特に、メンバー主体のゴルフクラブにあっては、できるだけ多くのメンバーが簡単に予約ができるシステムにすることが必要である。このためには面識のないメンバー同士でも同じ組でプレイし、親睦を深めメンバー同士の交流を活発化することが大切である。
【０００８】
しかしながら、自分が申し込む際に、既にその組でプレイするメンバーの名前が分かっていて、そのメンバーに面識がないと、気後れして申し込みを躊躇してしまい、結局予約しないことが想定される。
【０００９】
本願が解決しようとする課題は、メンバーにとっては気兼ねなく一人でも予約でき、クラブにとっては平日でも多くのメンバーの予約が入り、且つキャディの人数なども全日を通じて平準化させ、効率のよい運営を行える予約システムを提供することにある。  
【課題を解決するための手段】
【００１０】
上記課題を解決すべく本発明に係るゴルフコース予約システムは、メンバー及び管理者がネットワークを介して接続可能な入出力機能及び双方向通信機能を持つ携帯電話又はパソコン等のクライアント端末と、前記クライアント端末との双方向通信によりスタート時間の予約情報が格納される予約サーバとで構成され、管理者が管理者用のクライアント端末から予約サーバにアクセスした場合には、前記クライアント端末の表示画面にはデータベースに蓄積された予約状況がメンバーの名前または会員番号で表示されるとともに入出力機能により予約内容の変更が可能とされ、また前記メンバーが自己のクライアント端末から予約サーバをアクセスした場合には、スタート時間の予約と画面確認が可能であり、当該メンバー用の表示画面にはスタート予約の空き情報と本人が予約した組みの同伴プレイヤーの人数構成のみが表示される。
【００１１】
メンバーのクライアント端末からの予約が可能な組数を１日の全組数のうちの一部（例えば１０組）とし、また前記クライアント端末からの予約状況はキャディマスターなどの組の入れ替え又は変更を行える者の通信端末に通信可能とすれば、予約状況に基づいて前記クライアント端末からの予約が可能な組数を増減することができる。
【発明の効果】
【００１２】
本発明に係るゴルフコースの予約システムは、メンバーには同伴メンバーの数しか分からないので、気後れや躊躇することがなく一人でも申し込みしやすい。その結果、メンバー同士の交流が活発化し、平日の予約状況の改善が大きく図れる可能性がある。
また、予約状況を逐次キャディマスターなどのコース責任者の通信端末に送信することで、組数の増減、入れ替えなど効率のよい運営が可能になる。
【発明を実施するための最良の形態】
【００１３】
以下に本発明を実施するための最良の形態を図面に基づいて詳細に説明する。
図１は、携帯電話とＰＣからアクセス可能な本発明のネットワークを図示している。メンバー又は管理者の携帯電話２又はパソコン３等のクライアント端末は入出力機能及び双方向通信機能を持ち、これらはネットワーク１を介して予約サーバ４に接続されている。更に、この実施例ではキャディマスターなどのコース責任者の携帯電話８にもアンテナ７と無線基地局５とネットワーク１を介して予約サーバ４に接続されている。
【００１４】
また前記クライアント端末と予約の申込手続および画面確認を選択実行する予約サーバ４とが双方向通信可能にネットワーク１を介して接続されている。この予約サーバ４はメンバー情報のデータベース６を備えている。データベース６には携帯電話機２からのログイン認証データやメンバーの氏名、携帯電話／パソコンのメールアドレス、連絡方法、ＩＤ、パスワード、利用履歴などのデータが保存されている。
【００１５】
携帯電話機２から発射される電波は、無線基地局５のアンテナ７によって受信され、アンテナ７から発射される電波が携帯電話機２によって受信される。無線基地局５はネットワーク１を介して予約サーバ４と接続され、携帯電話機２と予約サーバ４がデータ通信する。
【００１６】
図２（ａ）〜（ｅ）は、携帯電話機を使った予約方法を図示したものである。本実施例では携帯電話機を使っているが、この予約方法は、他の携帯端末、例えばＰＤＡや通信機能を持ったｉ−Ｐｏｄ（登録商標）を使う場合も同様の方法で予約手続きをすることが可能である。
【００１７】
図２（ａ）の画面では、例えばＱＲコード（登録商標）などのリンク手段を使って所定のホームページをアクセスして表示される初期画面におけるメンバー認証画面である。
【００１８】
ここで、既に登録済みのメンバーＩＤとパスワードを入力し、“ログイン”ボタンを選択することによりメンバーが認証されて予約日選択の画面に遷移する。  
【００１９】
図２（ｂ）の画面では、カレンダーが表示され、この中から希望する日をハイライトさせ、“確認”ボタンを選択することにより予約日が選択される。
【００２０】
図２（ｃ）の画面では、前記の予約日選択画面で選択された日におけるプレイ時間が表示される。ここでプレイ時間は毎日１０組〜２０組程度が選択されており、予約状況に応じて管理者或いはキャディマスターなどのコース責任者は組数を増やすことが可能である。画面に表示されている白丸は予約可能で、黒丸は予約不可（満員）であることを示している。
【００２１】
前記の特定日におけるプレイ時間表示画面において、例えば空いている８：０７分ＯＵＴコースを選択し、“予約”のボタンを選択すると予約が完了する。
【００２２】
図２（ｄ）の画面は、選択した日時の予約状況を表示する画面を示している。ここでは黒丸が既予約者を、白丸が空きを示しているので、合計４名の枠に対して１名の予約が入っていることがわかる。
【００２３】
ここで予約を入れれば合計２名になるので、“予約”ボタンを選択することにより予約が受け付けられる。
【００２４】
図２（ｅ）の画面は、予約終了を通知する画面で、例えば“山田様、２００８年５月１６日ＯＵＴコース８：０７分  メンバー予約を受け付けました。”という表示となる。ここで、“閉じる”ボタンを選択することにより一連の作業が終了して、予約サーバ４から登録済みメールアドレス自動送信されるので、予約確認メールが携帯電話機２又はパソコン３で確認することができる。
【００２５】
図３（ａ）〜（ｃ）は、予約確認メールにリンクされたサイトを開いた時の予約確認画面を図示している。
【００２６】
図３（ａ）は予約確認画面のトップページである。ここで、既に登録済みのメンバーＩＤとパスワードを入力し、“ログイン”ボタンを選択することによりメンバーが認証されて予約日選択の画面に遷移する。
【００２７】
図３（ｂ）は予約状況のビジュアル表示画面を示している。この画面では、カレンダーが表示され、予約が入っている日がハイライトで表示され、ハイライトされている日に関係なく、“確認”ボタンを選択することにより予約されている全てのスケジュールがテキスト画面で表示される。
【００２８】
図３（ｃ）は確認用のテキスト表示画面を示している。この画面では、当該メンバーが予約した日時とコースをテキスト表示によって確認できるようになっていて、全ての予約が確認できたら“閉じる”ボタンを選択することにより予約確認を終了する。
【００２９】
メンバーがアクセスできる予約画面では匿名表示になっているので、自分以外は何人予約が入っているかだけしか分からない。メンバーが自己のクライアント端末から予約サーバにアクセスした場合には、スタート時間の予約と画面確認が可能であり、当該メンバー用の表示画面にはスタート予約の空き情報と本人が予約した組みの同伴プレイヤーの人数のみが表示され、メンバーがアクセスできる予約画面では自分も含めた匿名表示で自分以外は何人予約が入っているかだけしか分からない。
【００３０】
図４は、管理者画面例である。この画面は、前記管理者が前記クライアント端末３から前記予約サーバ４をアクセスした場合に表示される。前記クライアント端末３の出力機能の表示画面には前記メンバー情報データベース６に蓄積された予約状況の表示と、前記入出力機能により予約内容の変更が可能であり、
【００３１】
メンバー管理には、“お名前”欄１０１、“メンバー区分”欄１０２、“携帯電話Ｅメール”欄１０３、“パソコンＥメール”欄１０４、“送信宛先”欄１０５、メンバー識別データの“ＩＤ”欄１０６、メンバーがサイトにログインする際に使う“パスワード”欄１０７が設けられ、入力時には上側リストの２段目に各データを入力し、“登録”ボタン１０８を選択することにより、メンバー情報データベース６にデータが格納される。
【００３２】
前記“お名前”欄１０１には前記クライアント端末の表示手段には全ての予約メンバーが実名で表示されるが、実名以外にも会員番号などの本人特定可能データを併記あるいは代用することも考えられる。
【００３３】
“メンバー区分”欄１０２には、メンバー状況の選択肢が表示され、このいずれかをラジオボタンで選択する。メンバー区分としては、例えば、正メンバーか平日メンバーかの区別が考えられる。
【００３４】
“送信宛先”欄１０５には、メンバーによって選択された“携帯電話Ｅメール”欄１０３或いは、“パソコンＥメール”欄１０４のどちらかを連絡用のＥメールの送信先に設定するかが選択されている。
【００３５】
メンバー識別データの“ＩＤ”欄は、メンバーがメンバー用サイトにログインする際に使われるＩＤデータであり、これは登録時にはデフォルトでメンバー番号を使い、後でメンバー自身が変更可能とする運用方法が考えられる。
【００３６】
“パスワード”欄のデータは、メンバーがメンバー用サイトにログインする際に使われるパスワードデータであり、これは登録時にメンバー自身が選択したパスワードを入力するが、後でメンバー自身がメンバーサイトで変更可能とする運用方法が考えられる。
【００３７】
管理者は、“お名前”欄１０１、“メンバー区分”欄１０２、“携帯電話Ｅメール”欄１０３、“パソコンＥメール”欄１０４、“送信宛先”欄１０５、メンバー識別データの“ＩＤ”欄、 “パスワード”欄の入力を済ませた時点で、登録ボタン１０８を選択することにより、下段の“お名前”欄１０１ａ、“メンバー区分”欄１０２ａ、“携帯電話Ｅメール”欄１０３ａ、“パソコンＥメール”欄１０４ａ、“送信宛先”欄１０５ａ、メンバー識別データの“ＩＤ”欄１０６ａ、 “パスワード”欄１０７ａにデータ転送される。
【００３８】
メンバーデータを修正するには、下段に表示されたメンバーデータは修正ボタン１０８ａを選択することにより該当するメンバーデータが上段にコピーされて変更可能な状態になる。修正したメンバーデータは登録ボタン１０８を押すことにより下段に修正済みデータとして表示される。
【００３９】
メンバーデータを削除するには、削除欄１０９にチェックを入れて、登録ボタン１０８を押すことによりチェックが入ったメンバーデータが削除されて、更新された画面が表示される。
【００４０】
前記管理者が前記クライアント端末から前記予約サーバをアクセスした場合、前記クライアント端末の出力機能の表示画面には前記メンバー情報データベースに蓄積された予約状況が表示され、前記クライアント端末の表示手段には全ての予約メンバーが実名で表示されるとともに前記入出力機能により予約内容の変更が可能となっている。
【００４１】
また、本発明によるゴルフコース予約システムは、前記メンバーが前記クライアント端末から前記予約サーバをアクセスした場合の画面には、前記メンバー情報データベースに蓄積された予約状況が全ての予約メンバーについて表示され、メンバーによる前記クライアント端末からの予約変更はできない設定になっている。
【００４２】
図５は、管理者或いはコース責任者への通報画面例である。メンバーのクライアント端末からの予約が可能な組数は１日の全組数のうちの一部とされ、また前記クライアント端末からの予約状況はキャディマスターなどのコース責任者の通信端末に通信可能とされ、この予約状況に基づいてクライアント端末からの予約が可能な組数を増やすことができる。
【００４３】
上記において、１日に４５組のコースが設定できるゴルフクラブの場合、例えば毎日１０組だけ本発明のゴルフコース予約システムを適用していた場合に、特定の日の予約が満杯に近くなったら前記予約サーバが管理者或いはコース責任者に通報し、前記管理者の判断で本システムを適用する組を追加できる。
【００４４】
本実施例の画面では、担当者が複数設定されており、各担当者が担当できる曜日が登録されているので、予定が満杯に近くなった日の担当者宛てに自動メールが送信され、担当者は自分のスケジュールを確認してキャディマスターなどのコース責任者に連絡することにより前記予定が満杯に近くなった日に組数を追加することができる。
【産業上の利用可能性】
【００４５】
本予約システムは、主としてメンバーシップ制のゴルフコースに有効であるが、パブリックコースなどにも適用可能である。
【図面の簡単な説明】
【００４６】
【図１】ゴルフコース予約システムの全体図
【図２】携帯電話機での予約画面
【図３】携帯電話機での予約確認画面
【図４】管理者画面例
【図５】管理者への通報画面例
【符号の説明】
【００４７】
１…ネットワーク、  ２、８…携帯電話、  ３…パソコン、  ４…予約サーバ、  ５…無線基地局、  ６…メンバー情報データベース、  ７…アンテナ。
【図１】
2010003208.tif 000003
【図２】
2010003208.tif 000004
【図３】
2010003208.tif 000005
【図４】
2010003208.tif 000006
【図５】
2010003208.tif 000007
【手続補正書】
【提出日】平成20年6月27日(2008.6.27)
【手続補正１】
【補正対象書類名】図面
【補正対象項目名】図２
【補正方法】変更
【補正の内容】
【図２】
2010003208.tif 000008